(57)【要約】【課題】クライアント装置側で設定されていない印刷条件があっても当該印刷条件の追加設定を容易に実施可能なプリンタを提供する。【解決手段】プリンタにおいて、選定部は、第１の設定情報を受信した場合に、当該第１の設定情報とプリンタの能力情報とに基づき、第２の設定情報に関する設定項目を選定する。操作部は、第２の設定情報に関する設定項目に対して設定内容を設定する操作を受け付ける。印刷部は、第２受信部によって受信された第１の設定情報と、操作部での操作によって設定内容が設定された第２の設定情報とに基づいて、印刷を実行する。【選択図】図４
2020104452.tif 000002
【特許請求の範囲】
【請求項１】
プリンタであって、
クライアント装置が前記プリンタに対し前記プリンタの能力に関する能力情報の情報提供要求を送信した場合に、前記情報提供要求を受信する第１受信部と、
前記第１受信部によって前記情報提供要求が受信された場合に、前記能力情報を前記クライアント装置へ送信する送信部と、
前記クライアント装置が前記プリンタに対し印刷設定に関する第１の設定情報を送信した場合に、前記第１の設定情報を受信する第２受信部と、
前記第２受信部によって前記第１の設定情報を受信した場合に、当該第１の設定情報と前記能力情報とに基づき、第２の設定情報に関する設定項目を選定する選定部と、
前記選定部によって選定された前記第２の設定情報に関する設定項目を表示する表示部と、
前記表示部に表示された前記第２の設定情報に関する設定項目に対して設定内容を設定する操作が行われた場合に、当該操作を受け付ける操作部と、
前記第２受信部によって受信された前記第１の設定情報と、前記操作部での操作によって設定内容が設定された前記第２の設定情報とに基づいて、印刷を実行する印刷部と、
を備えるプリンタ。
【請求項２】
請求項１に記載のプリンタであって、
前記選定部は、前記能力情報には設定内容を設定可能な設定項目として含まれており、かつ、前記第１の設定情報では設定内容が設定されていない設定項目を、前記第２の設定情報に含まれる設定項目として選定するように構成されている
プリンタ。
【請求項３】
請求項１又は請求項２に記載のプリンタであって、
前記選定部は、前記第１の設定情報において、前記プリンタで自動設定する旨の設定内容が設定されている設定項目を、前記第２の設定情報に含まれる設定項目として選定するように構成されている
プリンタ。
【請求項４】
請求項１から請求項３までのいずれか一項に記載のプリンタであって、
前記選定部は、印刷対象となるコンテンツ中に印刷設定に関する第３の設定情報が含まれている場合には、前記能力情報には設定内容を設定可能な設定項目として含まれており、かつ、前記第３の設定情報では設定内容が設定されていない設定項目を、前記第２の設定情報に含まれる設定項目として選定するように構成されている
プリンタ。
【発明の詳細な説明】
【技術分野】
【０００１】
本開示は、プリンタに関する。
【背景技術】
【０００２】
クライアント装置からプリンタへと送信される印刷用コンテンツをプリンタで印刷する際、事前にプリンタの能力情報をプリンタからクライアント装置へと送信し、能力情報に応じた印刷条件を設定可能とする技術が知られている（例えば、特許文献１参照。）。プリンタは、クライアント装置から能力情報要求を受信すると、プリンタが利用可能なデータ形式情報や解像度情報等を含む能力情報をクライアント装置へ送信する。これにより、クライアント装置では、能力情報に応じた印刷条件（例えば、データ形式や解像度。）で印刷データを生成することができる。
【先行技術文献】
【特許文献】
【０００３】
【特許文献１】特開２０１６−７２７８５号公報
【発明の概要】
【発明が解決しようとする課題】
【０００４】
プリンタが上述のような能力情報をクライアント装置へ送信しても、能力情報中に含まれる全ての項目に対応する印刷条件が、クライアント装置側で設定されるとは限らない。この場合、クライアント装置側で設定されなかった項目に関しては、例えば、プリンタ側のデフォルト設定に従って印刷条件を設定する、といった対処をすることになる。
【０００５】
しかし、プリンタ側のデフォルト設定は、プリンタの能力を最大限に使用する設定になっているとは限らない。例えば、印刷品質の設定を「ドラフト」、「通常」及び「高品質」から選択可能で、かつデフォルト設定が「通常」となっている場合、クライアント装置側で印刷品質が設定されていなければ、印刷品質はデフォルト設定の「通常」となる。この場合、印刷品質の設定は「高品質」にはならず、プリンタの能力を最大限に使用する設定にはならない。
【０００６】
特に、クライアント装置側のアプリケーションによっては、印刷品質の設定をするためのユーザーインターフェース（以下、ＵＩと略称する。）を備えているとは限らない。このような場合でも、プリンタ側のデフォルト設定を「高品質」に変更できれば、プリンタの能力を最大限に使用できるが、管理者しかプリンタ側のデフォルト設定を変更できない場合がある。また、プリンタ側のデフォルト設定を変更できる場合であっても、印刷後にデフォルト設定を「通常」に戻さなければならない場合は、相応に面倒な手間がかかる。
【０００７】
本開示の一局面においては、クライアント装置側で設定されていない印刷条件があっても当該印刷条件の追加設定を容易に実施可能なプリンタを提供することが望ましい。
【課題を解決するための手段】
【０００８】
本開示の一態様は、プリンタであって、第１受信部と、送信部と、第２受信部と、選定部と、表示部と、操作部と、印刷部と、を備える。第１受信部は、クライアント装置がプリンタに対しプリンタの能力に関する能力情報の情報提供要求を送信した場合に、情報提供要求を受信する。送信部は、第１受信部によって情報提供要求が受信された場合に、能力情報をクライアント装置へ送信する。第２受信部は、クライアント装置がプリンタに対し印刷設定に関する第１の設定情報を送信した場合に、第１の設定情報を受信する。選定
部は、第２受信部によって第１の設定情報を受信した場合に、当該第１の設定情報と能力情報とに基づき、第２の設定情報に関する設定項目を選定する。表示部は、選定部によって選定された第２の設定情報に関する設定項目を表示する。操作部は、表示部に表示された第２の設定情報に関する設定項目に対して設定内容を設定する操作が行われた場合に、当該操作を受け付ける。印刷部は、第２受信部によって受信された第１の設定情報と、操作部での操作によって設定内容が設定された第２の設定情報とに基づいて、印刷を実行する。
【０００９】
このように構成されたプリンタによれば、第２受信部によって受信された第１の設定情報と、操作部での操作によって設定内容が設定された第２の設定情報とに基づいて、印刷を実行することができる。したがって、第１の設定情報のみに基づいて印刷を実行するプリンタとは異なり、第２の設定情報も加味することにより、プリンタの能力をより一層活かした印刷を実行することができる。
【図面の簡単な説明】
【００１０】
【図１】図１は複合機及びクライアント装置の構成を示すブロック図である。
【図２】図２はクライアント装置と複合機との通信手順を示すシーケンス図である。
【図３】図３（Ａ）は印刷条件の項目を説明するための説明図である。図３（Ｂ）はラスターデータのデータ構造を説明するための説明図である。
【図４】図４はプリンタが実行する印刷処理のフローチャートである。
【発明を実施するための形態】
【００１１】
次に、上述のプリンタについて、例示的な実施形態を挙げて説明する。
［複合機の構成］
以下に例示するのは、図１に示すように、本開示のプリンタの一例としての構成を備えた複合機１である。複合機１は、制御部１１、操作部１２、表示部１３、印刷部１４、読取部１５及び無線ＬＡＮ  Ｉ／Ｆ部１８等を備える。制御部１１は、ＣＰＵ１１１、ＲＯＭ１１２、ＲＡＭ１１３及びＮＶＲＡＭ（Non Volatile RAM）１１４等を備える。ＣＰＵ１１１は、ＲＯＭ１１２やＲＡＭ１１３に記憶された制御プログラムに従って所定の処理を実行し、これにより、複合機１の各部が制御される。
【００１２】
操作部１２は、タッチパネル及び各種スイッチ類等を備える。表示部１３は、液晶ディスプレイ及び各種ランプ類等を備える。操作部１２が備えるタッチパネルは、表示部１３が備える液晶ディスプレイの表面に重ねて配置されている。液晶ディスプレイには、タッチパネルでの操作に必要なボタン類の画像などが表示され、そのような画像に対するタッチ操作が行われたことを、タッチパネルで検出可能に構成されている。また、液晶ディスプレイには、複合機１に関する情報が表示される。
【００１３】
印刷部１４は、本実施形態の場合、シート状の被記録媒体に対してインクジェット方式で画像を形成可能に構成されている。ただし、印刷部１４は、インクジェット方式以外の周知の記録方式（例えば、電子写真方式等。）で画像を形成可能に構成されていてもよい。
【００１４】
読取部１５は、一方向に配列された読取素子を有する一次元イメージセンサを備える。読取部１５は、イメージセンサの読取素子の配列方向（主走査方向）に直交する方向（副走査方向）へイメージセンサを移動させて、透明な原稿台の上に載置された原稿の画像を読み取り可能に構成されている。また、読取部１５は、ＡＤＦ（Automatic Document Feeder；自動原稿送り装置）によって搬送される原稿の画像を読み取り可能に構成されている。
【００１５】
無線ＬＡＮ  Ｉ／Ｆ部１８は、無線ＬＡＮ規格に準拠した通信インターフェース装置によって構成される。複合機１は、無線ＬＡＮ  Ｉ／Ｆ部１８を介して、無線ＬＡＮに対応した機器（例えば、図１に例示するモバイル端末等のクライアント装置４１。）と通信することができる。
【００１６】
なお、複合機１は、図１に示した構成以外にも様々な構成を備えているが、本開示の要部に関連しない構成については、図示及び説明を省略する。
［クライアント装置と複合機との通信手順］
次に、クライアント装置と複合機との通信手順について、図２に基づいて説明する。印刷用コンテンツを印刷しようとするユーザーは、図２に示すように、まず、クライアント装置４１を操作して、クライアント装置４１に対しプリンタ登録指示を入力する。プリンタ登録指示を入力されたクライアント装置４１は、プリンタ登録指示において指定された複合機１に対し、能力情報要求を送信する。
【００１７】
複合機１は、クライアント装置４１から送信された能力情報要求を受信する。続いて、複合機１は、クライアント装置４１へ通知するための能力情報を決定して、当該能力情報をクライアント装置４１へ通知する。能力情報は、複合機１において設定可能な印刷条件等を示す情報である。例えば、本実施形態の場合、複合機１の能力情報には、図３（Ａ）中の「能力情報」の欄において「○」を付した項目（すなわち、「Print Quality」、「Duplex」、「Media Position」、「Media Type」、「Page Size」、「Color Space」等の項目。）が含まれる。
【００１８】
クライアント装置４１は、複合機１から送信された能力情報を受信する。クライアント装置４１では、能力情報に基づいて、複合機１において設定可能な印刷条件等を認識することができる。続いて、クライアント装置４１は、クライアント装置４１におけるＵＩを生成し、そのＵＩをユーザーに提示（例えば、クライアント装置４１が有する操作パネルに表示。）する。
【００１９】
クライアント装置４１において提示されるＵＩには、印刷条件等を設定するための複数の項目が含まれる。当該複数の項目の中には、複合機１から通知された能力情報に対応した項目や、能力情報とは無関係にクライアント装置４１側で生成された項目等が含まれ得る。また、それら複数の項目には、複合機１から通知された能力情報に応じたデフォルト値や、能力情報とは無関係にクライアント装置４１側で選ばれたデフォルト値が設定される場合がある。これら設定値は、ユーザーの入力操作に応じて変更が可能である。
【００２０】
また、印刷用コンテンツ（例えば、印刷対象とされるファイル。）内にも印刷条件が含まれている場合がある。例えば、本実施形態の場合、複合機１は、印刷用コンテンツとして、図３（Ｂ）に示すようなデータ構造のラスターデータ（ＰＷＧ−Ｒａｓｔｅｒ形式のデータ。）を受信可能に構成されているが、当該データの先頭にあるファイルヘッダー内には、印刷条件が格納される場合がある。
【００２１】
ただし、複合機１において設定可能な印刷条件（すなわち、上述の能力情報中の項目に対応する印刷条件。）の全てが、クライアント装置４１のＵＩ又は印刷用コンテンツによって設定されるとは限らない。例えば、クライアント装置４１のＵＩには、複合機１から通知された能力情報中に含まれる全ての項目が表示されるとは限らない。この場合、クライアント装置４１のＵＩに表示されない項目については、その項目の設定値をユーザーが任意に設定することはできない場合がある。また、そのようなクライアント装置４１のＵＩで設定不能な印刷条件が、印刷用コンテンツ内で設定されているとは限らない。そのため、例えば、クライアント装置４１のＵＩ又は印刷用コンテンツで設定可能な印刷条件は、図３（Ａ）中の「クライアント装置又は印刷用コンテンツでの設定」の欄において「○
」を付した項目（すなわち、「Duplex」、「Media Type」、「Page Size」、「Color Space」等の項目。）だけとなることがある。
【００２２】
ユーザーは、クライアント装置４１において提示されるＵＩを利用して、クライアント装置４１に対し印刷指示を入力することができる。印刷指示が入力されたら、クライアント装置４１は、複合機１に対して印刷ジョブを送信する。その際、クライアント装置４１において設定される印刷条件は、ジョブテンプレートとして複合機１に対して送信される。
【００２３】
複合機１は、印刷ジョブを受信する。続いて、複合機１は、印刷処理を実行する。印刷処理の詳細については後述するが、この印刷処理では、図３（Ａ）中の「複合機での設定」の欄において「○」を付した項目（すなわち、「Print Quality」、「Media Position」等の項目。）について印刷条件を設定することができる。すなわち、能力情報の中に含まれる項目であり、かつクライアント装置４１のＵＩでは印刷条件を設定できず、かつ印刷用コンテンツ内にも印刷条件が含まれていない項目について、印刷処理において印刷条件を設定することができる。印刷処理が終了したら、複合機１は終了通知をクライアント装置４１へ送信する。クライアント装置４１は、終了通知を受信し、クライアント装置４１のＵＩを介してユーザーに印刷終了を通知する。
【００２４】
［印刷処理］
次に、複合機１において実行される印刷処理について、図４に基づいて説明する。この印刷処理は、クライアント装置４１から複合機１へ印刷ジョブが送信された際に複合機１において実行される処理である。印刷処理を開始すると、複合機１は、クライアント装置４１から送信されるデータ（印刷条件と印刷用コンテンツ）を受信する（Ｓ１０）。続いて、複合機１は、印刷条件を抽出する（Ｓ２０）。Ｓ２０では、クライアント装置４１のＵＩを利用して設定されて、ジョブテンプレートとして送信されてくる印刷条件を抽出する。
【００２５】
続いて、複合機１は、不足している印刷条件があるか否かを判断する（Ｓ３０）。Ｓ３０の判断では、複合機１からクライアント装置４１へ通知した能力情報中に含まれる印刷条件の項目と、Ｓ２０で抽出された印刷条件の項目とが比較される。能力情報中には含まれている項目であって、かつＳ２０で抽出された印刷条件には含まれていない項目があれば、Ｓ３０では、不足している印刷条件があると判断する。
【００２６】
また、本実施形態の場合、Ｓ３０では、能力情報中には含まれている項目であって、かつＳ２０で抽出された印刷条件に含まれている項目であっても、その設定値が「Ａｕｔｏ」となっている場合には、不足している印刷条件があると判断する。ここでいう設定値「Ａｕｔｏ」が設定されている項目は、複合機１において設定値を自動設定する旨の設定内容が設定されている項目である。
【００２７】
Ｓ３０において、不足している印刷条件がないと判断された場合は（Ｓ３０：ＮＯ）、Ｓ４０−Ｓ８０を実行することなく、Ｓ９０へと進む。一方、Ｓ３０において、不足している印刷条件があると判断された場合（Ｓ３０：ＹＥＳ）、複合機１は、印刷用コンテンツに印刷条件が含まれているか否かを判断する（Ｓ４０）。
【００２８】
Ｓ４０では、印刷用コンテンツのデータ形式が、印刷条件を格納可能なデータ形式であり、かつ実際に印刷条件が格納されている場合に、印刷用コンテンツに印刷条件が含まれていると判断する。Ｓ４０において印刷用コンテンツに印刷条件が含まれていないと判断された場合は（Ｓ４０：ＮＯ）、Ｓ５０−Ｓ６０を実行することなく、Ｓ７０へと進む。一方、Ｓ４０において印刷用コンテンツに印刷条件が含まれていると判断された場合は（
Ｓ４０：ＹＥＳ）、印刷用コンテンツから印刷条件を抽出する（Ｓ５０）。
【００２９】
続いて、複合機１は、不足している印刷条件があるか否かを判断する（Ｓ６０）。Ｓ６０の判断では、複合機１からクライアント装置４１へ通知した能力情報中に含まれる印刷条件の項目と、Ｓ２０及びＳ５０で抽出された印刷条件の項目とが比較される。Ｓ６０において、不足している印刷条件がないと判断された場合は（Ｓ６０：ＮＯ）、Ｓ７０−Ｓ８０を実行することなく、Ｓ９０へと進む。一方、Ｓ６０において、不足している印刷条件があると判断された場合は（Ｓ６０：ＹＥＳ）、Ｓ７０へと進む。
【００３０】
Ｓ４０又はＳ６０からＳ７０へ進んだ場合、複合機１は、不足している印刷条件の選択画面を表示部１３に表示する（Ｓ７０）。Ｓ７０では、図３（Ａ）に示す例で言えば、「複合機での設定」の欄において「○」を付した項目（すなわち、「Print Quality」、「Media Position」等の項目。）が選定される。また、上述したように、設定値が「Ａｕｔｏ」となっている項目があれば、その項目が選定される。複合機１は、これら選定された項目の設定値を選択又は入力可能な画面を表示部１３に表示する。続いて、複合機１は、ユーザー設定を入力するための操作を操作部１２で受け付ける状態になる（Ｓ８０）。Ｓ８０においてユーザーの入力が確定したらＳ９０へと進む。
【００３１】
Ｓ３０、Ｓ６０又はＳ８０からＳ９０へ進んだ場合、複合機１は、印刷用コンテンツ及び印刷条件に基づいて印刷データを生成する（Ｓ９０）。続いて、複合機１は、Ｓ９０において生成された印刷データに基づいて印刷を実行する（Ｓ１００）。Ｓ１００を終えたら、図４に示す印刷処理を終了する。
【００３２】
［効果］
以上のような複合機１によれば、Ｓ１０においてクライアント装置４１から受信した印刷設定（本開示でいう第１の設定情報の一例に相当。）と、Ｓ８０において操作部１２での操作によって設定内容が設定された印刷設定（本開示でいう第２の設定情報の一例に相当。）とに基づいて、印刷を実行することができる。
【００３３】
特に、本実施形態の場合、Ｓ７０では、Ｓ１０においてクライアント装置４１から受信した印刷設定では設定内容が設定されていない項目を選定し、その項目が表示される。また、Ｓ７０では、Ｓ１０においてクライアント装置４１から受信した印刷設定では複合機１で自動設定する旨の設定内容が設定されている項目を選定し、その項目が表示される。さらに、Ｓ７０では、Ｓ５０において印刷用コンテンツから抽出された印刷設定（本開示でいう第３の設定情報の一例に相当。）では設定内容が設定されていない項目を選定し、その項目が表示される。
【００３４】
したがって、クライアント装置４１から受信した印刷設定のみに基づいて印刷を実行する場合とは異なり、操作部１２での操作によって設定された印刷設定も加味することにより、複合機１の能力をより一層活かした印刷を実行することができる。
【００３５】
なお、クライアント装置４１から送信された能力情報要求を受信する無線ＬＡＮ  Ｉ／Ｆ部１８及び制御部１１は、本開示でいう第１受信部の一例に相当する。クライアント装置４１へ能力情報を送信する無線ＬＡＮ  Ｉ／Ｆ部１８及び制御部１１は、本開示でいう送信部の一例に相当する。クライアント装置４１からジョブテンプレートとして送信される印刷条件を上記Ｓ１０において受信する無線ＬＡＮ  Ｉ／Ｆ部１８及び制御部１１は、本開示でいう第２受信部の一例に相当する。上記Ｓ７０において表示内容を選定する制御部１１は、本開示でいう選定部の一例に相当する。上記Ｓ７０において表示内容を表示する表示部１３は、本開示でいう表示部の一例に相当する。上記Ｓ８０においてユーザーの操作を受け付ける操作部１２は、本開示でいう操作部の一例に相当する。上記Ｓ１００に
おいて印刷を実行する印刷部１４は、本開示でいう印刷部の一例に相当する。
【００３６】
［他の実施形態］
以上、本開示のプリンタについて、例示的な実施形態を挙げて説明したが、上述の実施形態は本開示の一態様として例示されるものにすぎない。すなわち、本開示は、上述の例示的な実施形態に限定されるものではなく、本開示の技術的思想を逸脱しない範囲内において、様々な形態で実施することができる。
【００３７】
例えば、上記実施形態では、クライアント装置４１のＵＩを利用して設定された印刷条件と、印刷用コンテンツ内に含まれる印刷条件の双方を抽出していたが、いずれか一方を抽出するように構成してもよい。また、いずれか一方の印刷条件を抽出するのか双方の印刷条件を抽出するのかを、複合機１において任意に設定可能に構成し、その設定に従った印刷条件を抽出するように構成してもよい。
【００３８】
また、印刷条件に対する信頼性を判定し、信頼性が低いと判定された場合には、そのような印刷条件についても、Ｓ８０での設定対象に加えてもよい。例えば、印刷解像度のような項目であれば、設定された印刷条件があらかじめ定められた下限値と上限値との間に収まっていなければ信頼性が低い印刷条件であると判定することができ、その場合、Ｓ８０で印刷解像度の設定ができるように構成すればよい。このような構成を採用すれば、印刷用コンテンツ内での設定値が破損している場合や、クライアント装置４１から複合機１へデータを送信する際に設定値が破損したような場合に、複合機１において妥当な設定値を再設定することが可能となる。
【００３９】
また、上記実施形態において、Ｓ３０では、能力情報中には含まれている項目かつＳ２０で抽出された印刷条件に含まれている項目の設定値が「Ａｕｔｏ」となっている場合に、不足している印刷条件があると判断していたが、不足している印刷条件がないと判断するように構成してもよい。この場合は、例えば、設定値「Ａｕｔｏ」が設定されている項目については、複合機１におけるデフォルトの設定値を印刷条件にすればよい。
【００４０】
また、上記実施形態では、クライアント装置４１の一例としてモバイル端末を挙げたが、クライアント装置４１は、モバイル端末に限定されない。
また、上記実施形態では、クライアント装置４１と複合機１とが無線ＬＡＮで通信可能に接続される例を示したが、クライアント装置４１と複合機１との間の通信路は、無線ＬＡＮに限定されず、他の無線通信路又は有線通信路を介して通信可能に構成されてもよい。
【００４１】
また、上記実施形態では、本開示のプリンタの一例として複合機１を例示したが、本開示のプリンタは、スキャナ機能等を備えていない単機能のプリンタとして構成されていてもよい。
【００４２】
なお、上述した複合機１の他、複合機１を構成要素とするシステム、複合機１における印刷処理をコンピュータに実行させるためのプログラム、このプログラムを記録した記録媒体など、種々の形態で本開示を実現することもできる。
【００４３】
以上の他、上記各実施形態における一つの構成要素によって実現していた機能を、複数の構成要素によって実現するように構成してもよい。また、複数の構成要素によって実現していた機能を一つの構成要素によって実現するように構成してもよい。また、上記各実施形態の構成の一部を省略してもよい。また、上記各実施形態の構成の少なくとも一部を、他の上記実施形態の構成に対して付加、置換等してもよい。
【００４４】
［補足］
なお、以上説明した例示的な実施形態から明らかなように、本開示のプリンタは、更に以下に挙げるような構成を備えていてもよい。
【００４５】
本開示の一態様では、選定部は、能力情報には設定内容を設定可能な設定項目として含まれており、かつ、第１の設定情報では設定内容が設定されていない設定項目を、第２の設定情報に含まれる設定項目として選定するように構成されていてもよい。
【００４６】
このように構成されたプリンタによれば、能力情報には設定内容を設定可能な設定項目として含まれており、かつ第１の設定情報では設定内容が設定されていない設定項目を、第２の設定情報として設定することができる。したがって、第１の設定情報のみに基づいて印刷を実行するプリンタに比べ、プリンタの能力を活かした印刷を実行することができる。
【００４７】
本開示の一態様では、選定部は、第１の設定情報において、プリンタで自動設定する旨の設定内容が設定されている設定項目を、第２の設定情報に含まれる設定項目として選定するように構成されていてもよい。
【００４８】
このように構成されたプリンタによれば、第１の設定情報においてプリンタで自動設定する旨の設定内容が設定されている設定項目であっても、操作部での操作により、ユーザーが所望の設定内容を選択して第２の設定情報として設定することができる。
【００４９】
本開示の一態様では、選定部は、印刷対象となるコンテンツ中に印刷設定に関する第３の設定情報が含まれている場合には、能力情報には設定内容を設定可能な設定項目として含まれており、かつ、第３の設定情報では設定内容が設定されていない設定項目を、第２の設定情報に含まれる設定項目として選定するように構成されていてもよい。
【００５０】
このように構成されたプリンタによれば、能力情報には設定内容を設定可能な設定項目として含まれており、かつ第３の設定情報では設定内容が設定されていない設定項目を、第２の設定情報として設定することができる。したがって、第１の設定情報及び第３の設定情報に基づいて印刷を実行するプリンタに比べ、プリンタの能力を活かした印刷を実行することができる。
【符号の説明】
【００５１】
１…複合機、１１…制御部、１１１…ＣＰＵ、１１２…ＲＯＭ、１１３…ＲＡＭ、１１４…ＮＶＲＡＭ、１２…操作部、１３…表示部、１４…印刷部、１５…読取部、１８…無線ＬＡＮ  Ｉ／Ｆ部、４１…クライアント装置。
【図１】
2020104452.tif 000003
【図２】
2020104452.tif 000004
【図３】
2020104452.tif 000005
【図４】
2020104452.tif 000006